(57)【要約】【課題】プラグを交換可能な電源アダプターの提供。【解決手段】本体とプラグを含む。該本体は第一側面、該第一側面と相対する第二側面、該第一側面及び該第二側面と連接する第三側面、該第一側面及び該第二側面及び該第三側面と連接する第四側面を備える。該本体は該第三側面と該第四側面が相互に連接する辺角位置において、該第一側面から該第二側面へと延伸する収納槽を開設し、該収納槽は該第四側面と連接する積載壁、該第三側面及び該積載壁と連接する接触定位壁を備え、該積載壁は上方へと突出し凸ブロックを備え、該凸ブロックの該第一側面及び該第二側面に向った側面上には凸リブを突出設置する。該プラグの底面には凸ブロックを収容可能な凹槽を設置し、該凹槽の両側壁は該凹槽内へと向かい突出し、該凸リブを挿入可能な、該積載壁との間のスライドレールを備える。【選択図】図２
0003141395.tif 000002
【実用新案登録請求の範囲】
【請求項１】
本体とプラグを含み、
該本体は第一側面、該第一側面と相対する第二側面、該第一側面及び該第二側面と連接する第三側面、該第一側面及び該第二側面及び該第三側面と連接する第四側面を備え、該本体は該第三側面と該第四側面が相互に連接する辺角位置において、該第一側面から該第二側面へと延伸する収納槽を開設し、該収納槽は該第四側面と連接する積載壁、該第三側面及び該積載壁と連接する接触定位壁を備え、該積載壁は上方へと突出し凸ブロックを備え、該凸ブロックの該第一側面及び該第二側面に向った側面上には凸リブを突出設置し、  該プラグの底面には凸ブロックを収容可能な凹槽を設置し、該凹槽の両側壁は該凹槽内へと向かい突出し、該凸リブを挿入可能な、該積載壁との間のスライドレールを備えることを特徴とするプラグを交換可能な電源アダプター。
【請求項２】
前記第一側面と該第二側面は平行に設置し、該第三側面及び該第一側面は該第二側面と垂直に連接し、該第四側面と該第一側面及び該第二側面及び該第三側面は垂直に連接することを特徴とする請求項１記載のプラグを交換可能な電源アダプター。
【請求項３】
前記凸ブロックの第四側面に向った面の両端にはそれぞれ陥没部を形成し、該陥没部は導電端子を収容することを特徴とする請求項１記載のプラグを交換可能な電源アダプター。
【請求項４】
前記積載壁と該第四側面は垂直に連接し、該接触定位壁と該第三側面は該積載壁と垂直に連接することを特徴とする請求項１記載のプラグを交換可能な電源アダプター。
【考案の詳細な説明】
【技術分野】
【０００１】
本考案は電源アダプターに関する。特にプラグを交換可能な電源アダプターに係る。
【背景技術】
【０００２】
電源アダプターは通常、固定プラグ式電源アダプターとプラグを交換可能な電源アダプターに分けられる。プラグを交換可能な電源アダプターは各国の標準の違いに応じてプラグを交換することができるため、プラグを交換可能な電源アダプターは適用の範囲がより広範である。
【０００３】
公知のプラグを交換可能な電源アダプターは本体とプラグの２部分を含む。特許文献１で、特許文献２が掲示するプラグを交換可能な電源アダプターなどの該プラグは本体に挿入し、或いは本体上から分離することができる。しかし、該公知のプラグを交換可能な電源アダプターは本体とプラグの挿入接続と分離において不便で、しかも本体の体積が比較的大きい。
【０００４】
【特許文献１】米国特許第５,９７３,９４８号
【特許文献２】中華人民共和国特許公告第ＣＮ２５１８２５４号
【考案の開示】
【考案が解決しようとする課題】
【０００５】
本考案が解決しようとする課題は、プラグを交換可能な電源アダプターの本体とプラグは簡単に挿入接続と分離を行うことができ、しかもその本体の体積が小さいという、上記公知技術に存在する欠陥を解決したプラグを交換可能な電源アダプターを提供するものである。
【０００６】
上記課題を解決するため、本考案は下記のプラグを交換可能な電源アダプターを提供する。それは本体とプラグを含み、該本体は第一側面、該第一側面と相対する第二側面、該第一側面及び該第二側面と連接する第三側面、該第一側面及び該第二側面及び該第三側面と連接する第四側面、該第四側面と平行でしかも該第一側面及び該第二側面及び該第三側面と垂直に連接する第五側面を備え、該本体は該第三側面と該第四側面が相互に連接する辺角位置において、該第一側面から該第二側面へと延伸する収納槽を開設し、該収納槽は該第四側面と連接する積載壁、該第三側面及び該積載壁と連接する接触定位壁を備え、該積載壁は上方へと突出し凸ブロックを備え、該凸ブロックの該第一側面及び該第二側面に向った側面上には凸リブを突出設置し、該プラグの底面には凸ブロックを収容可能な凹槽を設置し、該凹槽の両側壁は該凹槽内へと向かい突出し、該凸リブを挿入可能な、該積載壁との間のスライドレールを備える。
【課題を解決するための手段】
【０００７】
請求項１の考案は、本体とプラグを含み、
該本体は第一側面、該第一側面と相対する第二側面、該第一側面及び該第二側面と連接する第三側面、該第一側面及び該第二側面及び該第三側面と連接する第四側面を備え、該本体は該第三側面と該第四側面が相互に連接する辺角位置において、該第一側面から該第二側面へと延伸する収納槽を開設し、該収納槽は該第四側面と連接する積載壁、該第三側面及び該積載壁と連接する接触定位壁を備え、該積載壁は上方へと突出し凸ブロックを備え、該凸ブロックの該第一側面及び該第二側面に向った側面上には凸リブを突出設置し、
該プラグの底面には凸ブロックを収容可能な凹槽を設置し、該凹槽の両側壁は該凹槽内へと向かい突出し、該凸リブを挿入可能な、該積載壁との間のスライドレールを備えることを特徴とするプラグを交換可能な電源アダプターとしている。
請求項２の考案は、前記第一側面と該第二側面は平行に設置し、該第三側面及び該第一側面は該第二側面と垂直に連接し、該第四側面と該第一側面及び該第二側面及び該第三側面は垂直に連接することを特徴とする請求項１記載のプラグを交換可能な電源アダプターとしている。
請求項３の考案は、前記凸ブロックの第四側面に向った面の両端にはそれぞれ陥没部を形成し、該陥没部は導電端子を収容することを特徴とする請求項１記載のプラグを交換可能な電源アダプターとしている。
請求項４の考案は、前記積載壁と該第四側面は垂直に連接し、該接触定位壁と該第三側面は該積載壁と垂直に連接することを特徴とする請求項１記載のプラグを交換可能な電源アダプターとしている。
【考案の効果】
【０００８】
本考案はスライドレールを溝に収容することにより、滑動槽は凸リブに収容され、こうしてプラグを便利に交換可能となる。
【考案を実施するための最良の形態】
【０００９】
本考案の技術内容、構造の特徴、達成される目的と効果について、以下に図を用い、最適実施例について詳細に説明する。
【００１０】
図１、２に示すように、本考案プラグを交換可能な電源アダプター１００は本体１とプラグ２を含む。該本体１は第一側面１１、該第一側面１１と平行な第二側面１２、該第一側面１１及び該第二側面１２と垂直に連接する第三側面１３、該第一側面１１及び該第二側面１２及び該第三側面１３と垂直に連接する第四側面１４、該第四側面１４と平行で該第一側面１１及び該第二側面１２及び第三側面１３と垂直に連接する第五側面１５を備える。該本体１は該第五側面１５上にUSBポートを設置する。
【００１１】
該本体１は該第三側面１３と該第四側面１４が相互に連接する辺角位置において、該第一側面１１から該第二側面１２へと延伸する収納槽１６を開設する。これにより該第四側面１４と垂直に接続する積載壁１７、該第三側面１３及び該積載壁１７と垂直に連接する接触定位壁１８を形成する。
【００１２】
該積載壁１７は上方へと突出し、該接触定位壁１８が延伸した方形を呈する凸ブロック１７１を備える。該凸ブロック１７１はそれぞれ該第一側面１１と該第二側面１２の両側上端に向かい、外側へと突出し凸リブ１７１１を形成する。こうして該凸リブ１７１１と該積載壁１７間には溝１７１２を形成する。該凸ブロック１７１は該第四側面１４片側の両端に向かい陥没部１７１３を設置し、該陥没部１７１３は導電端子１０を収容する。しかも該導電端子１０は該積載壁１７を貫通し、該本体１内部の回路(図示なし)と連接する。
【００１３】
該本体１は該第三側面１３と該接触定位壁１８の連接位置に凹口１３１を陥没設置する。該凹口１３１内には外側へと突出し該収納槽１６内に入る係合ほぞ１９を設置する。該係合ほぞ１９は該凹口１３１内から延伸する棒状を呈する係合板１９１を備え、該係合板１９１は係合棒１９２を上方へと垂直に突出設置する。
【００１４】
次に図２、図３に示すように、該プラグ２は頂点面２１、側面２２、底面２３を備える。該側面２２は該頂点面２１及び該底面２３と垂直に連接する。該プラグ２の側面２２には係合槽２２１を設置する。該プラグ２は該頂点面２１上に該係合槽２２１と連通する開口２２２を開設し、しかも該プラグ２は該頂点面２１上にさらに挿入片収容槽２１１を開設する。該挿入片収容槽２１１は２枚の挿入片２４を収容する。該プラグ２は該底面２３上に該側面２２まで延伸する凹槽２３１を開設し、該凹槽２３１の両側壁は内側へと突出しスライドレール２３２を備える。こうして該スライドレール２３２と該凹槽２３１の底壁の間には滑動槽２３３を形成する。
【００１５】
該プラグ２と該本体１が挿入接続する時、該スライドレール２３２は該溝１７１２内に入り、該凸リブ１７１１は該スライドレール２３２内に入る。こうして該プラグ２は該溝１７１２に沿って該側面２２まで滑動し、該接触定位壁１８上に接触定位する。この時、該係合ほぞ１９の係合板１９１は該係合槽２２１内に入り、該係合棒１９２は該開口２２２内に係入し、該導電端子１０と該挿入片２４は接触する。これにより該プラグ２は該外部電源と挿入接続可能となり、外部電源の高圧交流電力は低圧直流電力に転換される。
【００１６】
上記のように、本体１の収納槽１６内に凸リブ１７１１及び溝１７１２を備える凸ブロック１７１を設置し、該プラグ２のスライドレール２３２は該溝１７１２内に収容され、該凸ブロック１７１の凸リブ１７１１は該スライドレール２３２内に収容される。こうして該プラグ２を便利に交換することができる。
【図面の簡単な説明】
【００１７】
【図１】本考案プラグを交換可能な電源アダプターの本体とプラグ挿入接続後の立体組合せ図である。
【図２】本考案プラグを交換可能な電源アダプターの本体とプラグを分離後の立体分解図である。
【図３】本考案プラグを交換可能な電源アダプターのプラグの立体図である。
【符号の説明】
【００１８】
１００  プラグを交換可能な電源アダプター
１  本体
１０  導電端子
１１  第一側面
１２  第二側面
１３  第三側面
１３１  凹口
１４  第四側面
１５  第五側面
１６  収納槽
１７  積載壁
１７１  凸ブロック
１７１１  凸リブ
１７１２  溝
１７１３  陥没部
１８  接触定位壁
１９  係合ほぞ
１９１  係合板
１９２  係合棒
２  プラグ
２１  頂点面
２１１  挿入片収容槽
２２  側面
２２１  係合槽
２２２  開口
２３  底面
２３１  凹槽
２３２  スライドレール
２３３  滑動槽
２４  挿入片
【図１】
0003141395.tif 000003
【図２】
0003141395.tif 000004
【図３】
0003141395.tif 000005